(57)【要約】【課題】  使いやすい箸を実現することを課題とする。【解決手段】  箸Ａは一定長さを有する柱状になっており、一つの握り部１０及び一つの挟持部２０が形成してある。挟持部２０は、側面部２１及び端縁部２２を有する。挟持部２０の側面部２１には内凹溝３０が設けてある。内凹溝３０は挟持部２０の延伸設置方向に沿って形成され、内凹溝３０は挟持部２０の一端に沿って挟持部２０の端縁部２２の先端を越えるところまで延在している。挟持部の側面部の面積及び摩擦効果を増大し、食物を挟んだときの安定性及び食物に差し込んだときの安定性が高まる。また、挟持部の側面部の面積及び摩擦効果の増大に伴って、挟持部の端縁部の面積を縮小することが出来、箸を食物に挿入する動作を容易に行うことが可能となる。【選択図】図１
0003138166.tif 000002
【実用新案登録請求の範囲】
【請求項１】
一定の長さを有する柱状で、握り部（１０）と挟持部（２１）を有し、前記挟持部は側面部（２１）及び端縁部（２２）を有する箸であって、
前記挟持部は、その側面部に、前記挟持部の延伸方向に沿っている少なくとも一つの内凹溝（３０）を有する箸。
【請求項２】
前記内凹溝は、その一端が前記挟持部の端縁部（２２）を超えて若しくは前記側面部（２１）の所定位置とされて形成してある請求項１に記載の箸。
【請求項３】
前記内凹溝は、その断面がＶ字形、円弧形、或いは屈曲形態である請求項１に記載の箸。
【請求項４】
前記内凹溝は、その延伸設置方向が直線型、傾斜型、或いは屈曲らせん形態である請求項１に記載の箸。
【請求項５】
前記挟持部は、その側面部に滑り止めの溝（２３）を有する請求項１に記載の箸。
【考案の詳細な説明】
【技術分野】
【０００１】
本考案は箸に関する。
【背景技術】
【０００２】
お箸は中国人にとって、非常に重要で必要不可欠の食器といえます。スープを掬うことを除いて、ご飯、麺類、おかずのいずれにもお箸を使うことができます。醤油煮玉子、肉団子、ソーセージ、とうもろこし等といったつまみ難い食物であっても、箸先を差し込んで食べることができます。
但し、お箸を食べ物に差し込むという動作において、従来の箸の構造では先端がやや錐状になっているものの、安全性を考慮して尖鋭形状を避け、軽微なテーパー形状をもつ柱状とするのが一般的である（例えば、円柱または角柱）。
【考案の開示】
【考案が解決しようとする課題】
【０００３】
しかし、そうすると箸と箸の合せ面があまりにも狭く、滑りやすいため、食物を安定した状態で抓み取ることが難しく、食物が滑ってしまうという問題が発生する。また、箸先を醤油煮玉子、肉団子等の丸い形状の食物に差し込もうとすると、食物が滑ってしまい、或は転がったり、弾かれてしまうという欠点も見受けられるため、従来の箸構造は使い勝手の悪い部分が存在している。
【０００４】
よって、従来の問題点を改善し、より理想的で実用性を伴った新型構造を開発することは消費者が待望することであり、関連業者の目指すところでもある。
【０００５】
本考案者は長年関連製品の設計開発に携わってきた経験を活かし、上述の目標を達成すべく、工夫を凝らした設計を取り入れ、慎重に評価を重ねた後にやっとこのような実用性をもった考案を提案したのである。
【０００６】
本考案は、上記課題を解決した箸を提供することを目的とする。
【課題を解決するための手段】
【０００７】
本考案は、一定の長さを有する柱状で、握り部（１０）と挟持部（２１）を有し、前記挟持部は側面部（２１）及び端縁部（２２）を有する箸であって、
前記挟持部は、その側面部に、前記挟持部の延伸方向に沿っている少なくとも一つの内凹溝（３０）を有することを特徴とする。
【考案の効果】
【０００８】
箸を使って野菜や肉などの食物をつまみ取るとき、箸の端縁部の間に形成された挟持状態において、挟持対象物の一部は内凹溝の中に押し込まれ、比較的に大きな接触面積と摩擦効果を得ることができる。また、箸を醤油煮玉子等の食物に差し込むときには、挿入対象物の面積の一部は内凹溝の中に嵌入され、比較的に大きな接触面積と摩擦効果を得ることができる。
【考案を実施するための最良の形態】
【０００９】
以下、本考案の実施例になる箸について説明する。
【実施例１】
【００１０】
図１乃至図７は本考案の箸を示す。但し、これらの実施例は説明をするための参考とし、実用新案登録に際してはその構造の制限を受けない。
【００１１】
図１に示すように、箸Ａは一定長さを有する柱状になっており、一つの握り部１０及び一つの挟持部２０が形成してある。
【００１２】
図２及び図３（Ａ）に併せて示すように、挟持部２０は、側面部２１及び端縁部２２を有する。挟持部２０の側面部２１には内凹溝３０が設けてある。内凹溝３０は挟持部２０の延伸設置方向に沿って形成され、内凹溝３０は挟持部２０の一端に沿って挟持部２０の端縁部２２の先端を越えるところまで延在している。また、図７に符号３０Ｄで示すように、内凹溝３０Ｄは、その一端が側面部２１の所定位置とされて形成してもよい。内凹溝３０の配置形態は、図３（Ａ）、（Ｂ）、（Ｃ）に示すように一つから三つ、或はそれ以上の数とすることができる。
【００１３】
また、内凹溝３０の断面は、図３（Ａ）、（Ｂ）、（Ｃ）に示すＶ字形、図６（Ａ）に符号３０Ｂで示す円弧形、或いは図６（Ｂ）に符号３０Ｃで示す屈曲形態とすることができる。また、挟持部２０の側面部２１には滑り止め溝２３が設けてある。
【００１４】
また、内凹溝３０の延伸設置方向は、図８（Ａ）に示す直線型、図８（Ｂ）に示す傾斜型、若しくは図８（Ｃ）に示す屈曲らせん形態とすることができる。
【００１５】
上述の構造の箸Ａの使用状況を以下に説明する。
【００１６】
図４に示すように、箸Ａの端縁部２２に設けられた内凹溝３０によって、箸Ａを使って野菜や肉などの食物をつまみ取るとき、箸Ａの端縁部２２の間に形成された挟持状態において、挟持対象物４０の一部は内凹溝３０の中に押し込まれ、更に箸Ａの側面部２１に設けられた滑り止め溝２３によって、挟持対象物４０の一部の面積は滑り止め溝２３と接触したとき、比較的に大きな接触面積と摩擦効果を得ることができる。
【００１７】
図５（Ａ），（Ｂ）に示すように、箸Ａを醤油煮玉子、肉団子、ソーセージやとうもろこし等の食物に差し込むとき、箸Ａの端縁部２２に設けられた内凹溝３０によって、挿入対象物４０Ｂの面積の一部は内凹溝３０の中に嵌入され、さらに側面部２１の滑り止め溝２３の滑り止め効果と相乗して、食物の滑り落ちを防止することができる。
【００１８】
以下に、上記構成の箸Ａの効果について説明する。
【００１９】
図２に示すように、挟持部２０の側面部２１に内凹溝３０を設け、内凹溝３０を挟持部２０の延伸設置方向に沿って設置し、更に内凹溝３０の一端が挟持部２０の端縁部２２の先端まで形成してあることにより、挟持部２０の側面部２１の面積及び摩擦効果が増大し、食物を挟んだときの安定性が高まり、食物の滑り落ちを防止することができる。
【００２０】
また、挟持部２０の側面部２１の面積及び摩擦効果が増大したことに伴って、挟持部２０の端縁部２２の面積を従来よりも縮小することが出来、これによって、箸先の尖鋭性が高まり、箸Ａを食物（例えば、醤油煮玉子、肉団子等）に差し込む動作をより容易に行うことが出来、箸Ａの使い勝手を向上させることが出来る。
【００２１】
上述の実施例は本考案を具体的に説明したものであり、文中では特定の専門用語を用いて説明しているが、実用新案登録請求の範囲を限定するものではなく、この技術分野を熟知した当事者は本考案の精神及び原則を逸脱しない限り、本考案に変更または改良を加えることができる。しかし、それらの変更または改良は全て本願の実用新案登録請求の範囲に含まれるものである。
【図面の簡単な説明】
【００２２】
【図１】本考案の箸の斜視図である。
【図２】図１の箸の一部を拡大して示す図である。
【図３】内凹溝の配置の例を示す図である。
【図４】図１の箸の一つの使用例を示す図である。
【図５】図１の箸の別の使用例を示す図である。
【図６】内凹溝の配置の別の例を示す図である。
【図７】内凹溝の配置の更に別の例を示す図である。
【図８】内凹溝の延伸設置方向の種々の形状を示す図である。
【符号の説明】
【００２３】
Ａ  箸
１０  握り部
２０  挟持部
２１  側面部
２２  端縁部
２３  滑り止め溝
３０、３０Ｂ、３０Ｃ、３０Ｄ  内凹溝
４０  挟持対象物
５０  挿入対象物
【図１】
0003138166.tif 000003
【図２】
0003138166.tif 000004
【図３】
0003138166.tif 000005
【図４】
0003138166.tif 000006
【図５】
0003138166.tif 000007
【図６】
0003138166.tif 000008
【図７】
0003138166.tif 000009
【図８】
0003138166.tif 000010